(57)【特許請求の範囲】
【請求項１】
水底の泥土や水面のゴミを水と一緒に浚渫ポンプで吸い上げて該ゴミ及び水を船倉に回収する作業船において、前記作業船の浚渫ポンプの吸い込み側に複数の漉器を並設し、１以上の漉器が浚渫ないしはゴミの清掃回路として運転稼働中に、他の濾器を、前記船倉内からフィルターを介して送水される水で逆洗し、該逆洗に使用した水を前記他の濾器に堆積しているゴミと一緒に前記船倉内に放出する逆洗回路として運転稼働し、これら漉器の清掃回路運転と逆洗回路運転をバルブの切り換え操作により順次切り換えることを特徴とする浚渫・清掃作業船用漉器の連続運転方法。
【請求項２】
前記漉器のスクリーンの両側の差圧を計測する差圧計を設置し、差圧が許容値に達すると、弁操作により前記漉器の清掃回路と逆洗回路を反転させることを特徴とする請求項１記載の浚渫・清掃作業船用漉器の連続運転方法。
【請求項３】
前記漉器の入側に接続せる管路の途中にエダクタを設置し、前記船倉の貯水を前記エダクタ水として利用することを特徴とする請求項１または請求項２記載の浚渫・清掃作業船用漉器の連続運転方法。
【発明の詳細な説明】
【０００１】
【産業上の利用分野】
本発明は浚渫ポンプで水底の浚渫や水面の清掃作業を行い、泥土あるいは水面のゴミを船倉に回収する作業船に関する。
【０００２】
【従来の技術】
従来からドラグサクション船あるいは清掃作業船では海底あるいは海面から瓦礫ないしはゴミ等を浚渫ポンプで吸い上げる際、浚渫ポンプを保護するために該ポンプの前段に漉器が設置されている。
しかして、浚渫作業ないしは清掃作業を行なっている間に漉器のスクリーンが目詰まりを起こすと、その都度作業を中断して人力でスクリーンを清掃していた。特に粘度の高い重油が付着しているゴミの清掃作業の場合はスクリーンの目詰まりが頻繁に起こり、スクリーンの清掃が厄介であった。
【０００３】
【発明が解決しようとする課題】
本発明は漉器のスクリーンが目詰まりしても、浚渫あるいは清掃作業を中断することなく、しかも人力によることなく自動的にスクリーンの清掃をすることを目的とする。さらに本発明の他の目的は、ゴミと一緒に船倉内に吸い込んだ貯水をエダクタ水および前記スクリーンの逆洗水として利用することにより船倉内のゴミ密度を上げることを目的とするものである。
【０００４】
【課題を解決するための手段】
課題を解決する手段は、  水底の泥土や水面のゴミを水と一緒に浚渫ポンプで吸い上げて該ゴミ及び水を船倉に回収する作業船において、前記作業船の浚渫ポンプの吸い込み側に複数の漉器を並設し、１以上の漉器が浚渫ないしはゴミの清掃回路として運転稼働中に、他の濾器を、前記船倉内からフィルターを介して送水される水で逆洗し、該逆洗に使用した水を前記他の濾器に堆積しているゴミと一緒に前記船倉内に放出する逆洗回路として運転稼働し、これら漉器の清掃回路運転と逆洗回路運転をバルブの切り換え操作により順次切り換えることにある。
【０００５】
【発明の実施の形態】
図１は本発明方法による海面の清掃作業（海底の浚渫・清掃作業）を実施する設備の説明図である。１1、１2は漉器、２1、２2は該漉器のスクリーンである。これらのスクリーンは漉器内に固定式であってもよいが、シリンダ等で垂直方向に可動式の方がよい。３は浚渫ポンプ、４は作業船の船倉、５は送水ポンプ、６はゴミ等の吸引補助用のエダクタ（エジェクタに似た装置）である。７は基部がエダクタ６に接続され先端に吸引口８を有する吸引管である。前記漉器１1、１2の入側とエダクタ６とは切換弁Ｖ1、Ｖ1´ を介して管路９、１０、１１で並列 に接続されており、漉器１1、１2の出側と浚渫ポンプ３の吸引側とは切換弁Ｖ2 を介して管路１２、１３、１４で並列に接続されている。そして、該ポンプ３の出口側には管路１５が接続されており、その先端に船倉４内へゴミを吐出する吐出口１６が設置されている。
【０００６】
送水ポンプ５の吸引側は切換弁Ｖ3、Ｖ4を介して船倉４の上部取水口１７、下部取水口１８およびシーチェスト（船内に設けた海水の取水口）１９に管路２０、２１、２２、２３で接続されており、該送水ポンプの出側は管路２４、切換弁Ｖ5、管路２５を介して前記エダクタ６に接続されており、管路２６、切換弁Ｖ6、管路２７、２８を介して前記漉器１1、１2の出側にそれぞれ接続されている。さらに、漉器１1、１2の入側には切換弁Ｖ7、Ｖ7´を介して管路２９、３０、３１が接続されており、管路３１の先端にはスクリーン２1、２2で遮断されたゴミを船倉４内へ吐出するための吐出口３２が設置されている。３３1、３３2はそれぞれ漉器１1および、漉器１2内のそれぞれのスクリン２1、２2前後の差圧を検出する差圧計である。なお、前記漉器１1、１2、浚渫ポンプ３、送水ポンプ５、これらを接続する配管設備は作業船に搭載されている。３４、３５は船倉４の上部および下部取水口１７、１８近傍に設置されたフィルターである。
【０００７】
したがって、上記配管設備は吸引口８、管路７、エダクタ６、管路９、切換弁Ｖ1、Ｖ1´、管路１０、１１、漉器１1、１2、管路１２、１３、切換弁Ｖ2、管 路１４、浚渫ポンプ３、管路１５、吐出口１６、船倉４で浚渫・清掃回路を構成している。また、船倉４、管路２０、２１、切換弁Ｖ3、Ｖ4管路２２、２３、送水ポンプ５、管路２４、切換弁Ｖ5、管路２５でエダクタ回路を構成している。 そして、前記船倉４、送水ポンプ５、管路２４、切換弁Ｖ5、管路２６、切換弁 Ｖ6、管路２７、２８、漉器１1、１2、管路２９、３０、切換弁Ｖ7、Ｖ7´、管 路３１、吐出口３２で漉器の逆洗回路を構成している。
【０００８】
海面の清掃ないしは海底の没渫作業開始時の状況を図２により説明する。
浚渫ポンプ３および送水ポンプ５を始動し、漉器１１を使用する清掃回路およびエダクタ回路の管路と切換弁を連通させて清掃作業を開始する。吸引口８からゴミはエダクタ６、管路９、管路１０の切換弁Ｖｌ、を経由して漉器１１内に吸い込まれる。漉器１１内のスクリーン２１でポンプ３を損傷するゴミは遮られて漉器１１の入側内に堆積する。スクリーンを通過したゴミは管路１２、切換弁Ｖ２、ポンプ３、管路１５を経由して吐出口１６から海水と一緒に船倉４内に放出される。エダクタ６はポンプ３による吸引作用の補助のために設置したものであり、清掃作業開始当初は船倉内にまだ海水が十分貯留されていないので、送水ポンプ５への給水はシーチェスト１９から管路２２、切換弁Ｖ４、管路２３により行なわれ、管路２４、切換弁Ｖ５、管路２５からエダクタ６へ送水されエダクタ６を機能させる。
【０００９】
漉器１1内にゴミが堆積してくると、スクリーン２1の両側の圧力差が大きくなる。差圧計３３1がこれを計測しており、スクリーン２1の両側の圧力差が許容値に達すると、差圧計３３1の電気信号が図示しない制御装置に入力されて、図３ に示すように切換弁Ｖ1´および切換弁Ｖ2、が切り換えられる。これらの弁の切り換えによりゴミは管路１１を通って漉器１2へ吸い込まれ、スクリーン２2で吸引ポンプ３を損傷しないゴミは管路１３、切換弁Ｖ2、管路１４へと漉器１1からの吸引水と合流してポンプ３へ吸引され、漉器１2を使用する清掃回路が形成さ れる。
【００１０】
漉器１2を使用する清掃回路が形成されると、図４に示すように、切換弁Ｖ1、Ｖ7、Ｖ7´、切換弁Ｖ2、Ｖ5、Ｖ6、が切り換えられる。これらの弁の切り換え によりゴミの清掃回路が漉器１1から漉器１2に切り換えられる。そして、送水ポンプ５からの圧力水の一部ないし全部は切換弁Ｖ5、管路２４、切換弁Ｖ6を経て漉器１1内に送水されてスクリーン２1を逆洗し、漉器１1内に堆積しているゴミ は管路２９、切換弁Ｖ7、管路３１の逆洗回路の吐出口３２から船倉４内へ海水 と一緒に放出される。
したがって、漉器１2を清掃回路として運転している間に、漉器１1のスクリーン２1を自動的に逆洗するとともに、漉器１1内に堆積しているゴミを船倉４へ搬送できる。なお、この際逆洗されたスクリーン２1を上方に引き上げると漉器１1内に堆積しているゴミの搬送を効率よく行なえる。逆洗が完了すると切換弁Ｖ5 を切り換えて、送水ポンプ５からの水はエダクタ水としてエダクタへ全量送給される。漉器１2内にゴミが堆積してスクリーン２2の両側の圧力差が許容値に達すると、前記と同様に差圧計３３2からの電気信号により切換弁Ｖ1、Ｖ1´、Ｖ7、Ｖ7´、切換弁Ｖ2、Ｖ5、Ｖ6、が切り換えられて漉器１1は、再び清掃回路運転 に切り換えられる。そして、この間漉器１2は逆洗回路運転が行なわれる。
【００１１】
漉器１1と漉器１2を交互に清掃回路と逆洗回路に運転稼働している間に図５に示すように船倉内の水位が上昇してくると船倉内に設置している水位計３６で検知し、切換弁Ｖ4が切り換えられて送水ポンプ５への給水は船倉４からに切り換 えられる。その場合、作業が海面の清掃作業であるときは切換弁Ｖ3を操作して 船倉の下部から給水するようにし、浚渫作業のときは船倉の上部からの上澄水を供給するとよい。このように、船倉内へゴミと一緒に放出される水をエダクタ回路および逆洗回路に循環利用することにより船倉内のゴミの量を増加させることができる。
なお、図面には漉器を２個並設している例を示しているが、３ないし４個並設して上記の作業を実施することは任意である。
【００１２】
【発明の効果】
本発明は、漉器を複数個並設してバルブの切り換え操作により、一方の漉器が清掃回路として稼働中は他方の漉器は逆洗回路としてこれらを交互に稼働させるようにしたため、清掃作業を中断することなく、しかも、漉器のスクリーン目詰まりの保守を人力によることなく自動的に行なえるので、作業能率を向上できる。また、船倉内にゴミと一緒に放出された水をエダクタ回路および逆洗回路用水として循環再利用するので船倉内に収容するゴミの量を増大させることができる。
【図面の簡単な説明】
【図１】本発明方法を実施する設備の説明図。
【図２】本発明方法による運転初期の漉器の清掃回路稼働状況の説明図。
【図３】本発明方法による運転初期の漉器の清掃回路を逆洗回路に切り換える予備段階の稼働状況の説明図。
【図４】本発明方法による運転初期の清掃回路および逆洗回路を同時に稼働している状況の説明図。
【図５】本発明方法おいて船倉内の貯水をエダクタ水または逆洗水として使用している状況の説明図。
【符号の説明】
１1、１2    漉器                  ２1、２2    スクリーン
３          浚渫ポンプ            ４          船倉
５          送水ポンプ            ６          エダクタ
７          管路                  ８          吸引口
１６          吐出口              １９          シーチェスト
３２          吐出口              ３３1、３３2  差圧計
３４、３５    スクリーン          ３６          水位計
Ｖ1、Ｖ1´、Ｖ7、Ｖ7´      切換弁
Ｖ2、Ｖ3、Ｖ4、Ｖ5、Ｖ6     切換弁
【図１】
0003790789.tif 000002
【図２】
0003790789.tif 000003
【図３】
0003790789.tif 000004
【図４】
0003790789.tif 000005
【図５】
0003790789.tif 000006